(57)【要約】      （修正有）【課題】簡易な構成で、グレープフルーツジュース内の、房内の果肉及び果汁を効率的に取り出すことが出来る、大型柑橘類の果実用ストローを提供する。【解決手段】ポリカーボネート樹脂等適宜合成樹脂、又はアルミニューム合金等金属材料等の変形しない材料よりなり、少なくとも８ｍｍ内径の面積以上を有する果汁吸引口１と、基端側に果汁吸出口２とを有し、果汁吸引口１の先端周面に凹凸状切込１０を設け、先端側果汁吸引口１と基端側果汁吸出口２の間の径を、漸次或いは部分的に減少させ、基端側を先端側に比べ細い径で形成する果汁吸出口２とを有し、また、先端部側面に１個又は複数の突起６を有することを特徴とする。【選択図】図２
0003116044.tif 000002
【実用新案登録請求の範囲】
【請求項１】
ポリカーボネート樹脂等適宜合成樹脂、又はアルミニューム合金等金属材料等の変形しない材料よりなり、先端側に少なくとも８ｍｍ径の面積以上を有する果汁吸引口と、基端側に果汁吸出口とを有することを特徴とする大型柑橘類の果実用ストロー。
【請求項２】
果汁吸引口の先端周面に凹凸状切込状切込を設けることを特徴とする請求項１記載の大型柑橘類の果実用ストロー。
【請求項３】
果汁吸引口の先端周面をテーパー状吸引口面とすることを特徴とする請求項１又は２に記載の大型柑橘類の果実用ストロー。
【請求項４】
果汁吸引口の先端周面を、ストーローの軸方向に対し斜めの切り口とする斜切吸引口とすることを特徴とする請求項１記載の大型柑橘類の果実用ストロー。
【請求項５】
ポリカーボネート樹脂等適宜合成樹脂、又はアルミニューム合金等金属材料等の変形しない材料よりなり、先端部をツノ状、或いは推状に形成する閉鎖先頭部にすると共に、先端近傍の側面に少なくとも８ｍｍ内径の面積以上を有する１又は２以上の開口を有する果汁吸引口と、基端側に果汁吸出口とを有することを特徴とする大型柑橘類の果実用ストロー。
【請求項６】
先端側果汁吸引口と基端側果汁吸出口の間の径を、漸次或いは部分的に減少させ、基端側を先端側に比べ細い径で形成する果汁吸出口とを有することを特徴とする請求項１〜５項の何れか１項に記載の大型柑橘類の果実用ストロー。
【請求項７】
先端部近傍側面に１個又は複数の突起を有することを特徴とする請求１〜６項の何れか１項に記載の大型柑橘類の果実用ストロー。
【考案の詳細な説明】
【技術分野】
【０００１】
本発明は、大型の柑橘類の果実であるグレープフルーツ又はオレンジ等に使用する大型柑橘類の果実用ストローに関するものである。
【背景技術】
【０００２】
従来、大型の柑橘類の果実であるグレープフルーツ等の果実はジューサー、或いは例えば特許文献１等に記載するグレープフルーツ搾り等で搾ってジュースとして、コップ等の器に入れ替えて飲食することが一般的であった。
屋外で直接グレープフルーツの果汁を飲む為には、これらの道具を持参するか、或いはあらかじめこれらの道具等を用いてジュースを作りポット等の容器に入れて持参する必要があった。
また、果実に直接器具を挿し込み、内容物を飲食するものとしては、特許文献２に示すものが提案されている。
特許文献２に記載の技術は、グレープフルーツと同じ柑橘系のレモンを対象とするものであるが、レモンの周面に直接、器具を挿し込み果汁を砂糖等と混合させて吸引するものである。
【０００３】
【特許文献１】実用新案登録第３０３４３３２号公報
【特許文献２】実開平７−３９６５２号公報
【考案の開示】
【考案が解決しようとする課題】
【０００４】
従来、グレープフルーツ等の大型の柑橘類の果実から果汁を直接吸引する器具はなかった。これは一般的なストローでは、グレープフルーツの果肉が、ストロー内に詰まり、果汁を効率的に吸引することが出来ないからであった。また、前述した特許文献２に記載の技術は、グレープフルーツと同じ柑橘系のレモンを対象とするものであるが、レモンの周面に直接、器具を挿し込み果汁を砂糖等と混合させて吸引するものであるが、この技術をグレープフルーツに適用した場合には、グレープフルーツの果肉の房はレモンに比べ大きく、また房の厚みも厚くなっている。このため、果肉に含まれている果汁成分を効率的に果実外に取り出すことは実質的に出来ず、このまま適用しても、グレープフルーツジュースとして取り出すことは出来ない。
そこで本考案では、簡易な構成で、グレープフルーツジュース内の、房内の果肉及び果汁を効率的に吸い出すことが出来る、大型柑橘類の果実用ストローを提供することを課題とする。
【課題を解決するための手段】
【０００５】
本考案は、上述した課題を解決するため、以下の手段を構成した。
請求項１記載の考案は、ポリカーボネート樹脂等適宜合成樹脂、又はアルミニューム合金等金属材料等の変形しない材料よりなり、先端側に少なくとも８ｍｍ径の面積以上を有する果汁吸引口と、基端側に果汁吸出口とを有することを特徴とする。
請求項２記載の考案は、果汁吸引口の先端周面に凹凸状切込を設けることを特徴とする。
請求項３記載の考案は、果汁吸引口の先端周面をテーパー状吸引口面とすることを特徴とする。
請求項４記載の考案は、果汁吸引口の先端周面を、ストーローの軸方向に対し斜めの切り口とする斜切吸引口とすることを特徴とする。
請求項５の考案は、ポリカーボネート樹脂等適宜合成樹脂、又はアルミニューム合金等金属材料等の変形しない材料よりなり、先端部をツノ状、或いは推状に形成する閉鎖先頭部にすると共に、先端近傍の側面に少なくとも８ｍｍ内径の面積以上を有する１又は２以上の開口を有する果汁吸引口と、基端側に果汁吸出口とを有することを特徴とする。
請求項６記載の考案は、先端側果汁吸引口と基端側果汁吸出口の間の径を、漸次或いは部分的に減少させ、基端側を先端側に比べ細い径で形成する果汁吸出口とを有することを特徴とする。
請求項７記載の考案は、前記構成に加え、先端部近傍側面に１個又は複数の突起有することを特徴とする。
【０００６】
本考案は上述のように構成し、グレープフルーツ等の大型の柑橘類の果実のヘタのついてないが側のへそ部分に、上記ストローの先端側果汁吸引口をあて、挿し込むと、グレープフルート果肉の房の集まっている内端側中心を挿し込むことで房の内端を切りながら挿入することが出来る。
次に、大型柑橘類の果実用ストローを果実の先端を果実の中央付近まで挿し込んだ後、果実の外側に位置するストローの基端側である果汁吸出口側を円を描くように動かし、果実の房を壊すと共に、房内の果肉の分離を行う。この後に果汁吸出口側から果汁果肉を吸出す。
なお、内容物の果汁、果肉の出が悪くなった場合には、果汁吸出口側を円を描くように動かしながら、或いは果実全体を動かしながら吸引を行うことで、内容物の果汁、果肉を食することが出来る。
【考案の効果】
【０００７】
本考案の請求項１記載の考案では、簡易な構成で、かつ安価に大量に生産出来る。そして、先端が少なくとも８ｍｍ内径の面積以上を有する果汁吸引口とを有することを構成となっている。果汁吸引口が８ｍｍ以上の内径の面積以上を有しているため、果汁、果肉等がつまることがなく吸引することが出来る。
【０００８】
また請求項２記載の考案は、果汁吸引口の先端周面に凹凸状切込を形成し、請求項３記載の考案では、果汁吸引口の先端周面をテーパー状吸引口面とし、更に請求項４記載の考案は、果汁吸引口の先端周面を、ストーローの軸方向に対し斜めの切り口とする斜切吸引口とする構成となっている。
このような構成とすることで、グレープフルーツ等の果実に本考案に係るストローを挿し込む際に、スムーズに果実内にストロー先端をノコギリ的に、或いはナイフ的に果皮を切りながら挿し込むことが出来スムーズな挿し込みを行うことが出来る効果を有する。
【０００９】
また、請求項５記載の考案では、先端部をツノ状、或いは推状に形成する閉鎖先頭部にする構成であり、グレープフルーツ等の果実に本考案に係るストローを挿し込む際に、より軽快に挿し込むことが出来る効果を有する。
【００１０】
請求項６記載の考案は、先端側果汁吸引口と基端側果汁吸出口の間の径を、漸次或いは部分的に減少させ、基端側を先端側に比べ細い径で形成する果汁吸出口と果実側の先端に比べ、吸引を行う基端側の果実吸出口を小さくしていることより、吸引し易くなっている。また、果肉等が一旦ストロー内に入った後は、果肉、果汁が一緒に吸い込まれて連続的に吸引している場合には、内径が途中で減少しても果肉、果汁の吸い出しをスムーズに行うことが出来る。
【００１１】
請求項７記載の考案は、先端部側面に１個又は複数の突起を設けることで、ストローを果肉に挿し込んだ後に、果実の外側に位置するストローの基端側である果汁吸出口側を円を描くように動かすことで、内部の房の破壊効果を高めると共に、果肉自体の細分化を促進させる効果を有する。
【考案を実施するための最良の形態】
【００１２】
以下、図面を用いて本考案の実施の形態を順次説明する。
図１は本考案にかかる第１の実施の形態を示すストローの説明図で（ａ）は正面図、（ｂ）は果汁吸引口の側面図、（ｃ）は果汁吸出口の側面図である。
【００１３】
本考案は、例えばポリカーボネート樹脂等適宜合成樹脂、又はアルミニューム合金等金属材料等の変形しない材料より形成する。また、材料の厚みは、ストローが変形しない厚みであれば良く、厚さは特に限定するものではない。
なお、後述するストローの実施の形態においては、１ｍｍの厚さのポリカーボネート樹脂を用いて成形している。
そして、第１の実施の形態に係るストローは、図１に示す如く、先端側に少なくとも８ｍｍ内径の面積以上を有する果汁吸引口１と、基端側に果汁吸出口２とを有し、先端側果汁吸引口１に近い側で減少させる径絞部３を、ストロー胴部４に形成している。
ここで先端側の果汁吸引口１を、８ｍｍ内径の面積以上を有するとしたのは、果汁及び果肉を吸引するときに、つまらずに吸引出来る大きさとして、通常の吸引を行ったとき８ｍｍ内径の面積以下では、つまることが多かったためである。
ただ、詰まりなくスムーズに吸引を行う為には、果汁吸引口１は１０ｍｍ以上、好ましくは１２ｍｍ以上の内径面積を有することが望ましい。また、形状は、上記実施の形態では、円形の果汁吸引口１を示しているが、これに限るものでなく、多少詰まりやすくなるが、楕円形、角形状であってもよい。
なお、上述の記載中、例えば８ｍｍ内径の面積以上を有するとは、果汁等が通過するストローの半径８ｍｍの円形断面の面積に換算したとき面積以上をいう。
【００１４】
また、果汁吸引口１の上面の周面には、図１に示す如く、凹凸状切込１０が、形成されている。
この凹凸状切込１０は、グレープフルーツ等の果実に、本考案に係るストローを挿し込む際に、スムーズに果実内へストロー先端の凹凸状切込１０が、果皮表面に傷を付けながら切りこんで、スムーズな挿し込みを行う為に設けている。
【００１５】
果汁吸出口２の大きさは、小さい方が吸引し易いため、出来るだけ小さい方が好ましい。従って、本考案では、先端側果汁吸引口と基端側果汁吸出口の間の径を、漸次或いは部分的に減少させ、基端側を先端側に比べ細い径で形成する果汁吸出口と果実側の先端に比べ、吸引を行う基端側の果実吸出口を小さくして、吸引し易く形成するが、径を同じとする構成とすることも出来る。ただ、内径で６ｍｍ以下内径の面積では吸引量が少なくなりすぎ、また、つまることが多少あった為、８ｍｍ以上、好ましくは９ｍｍ以上内径の面積を有することが望ましい。
また、果汁吸出口２は果汁がストローから出る側であることより、果肉がつまる可能性は。果汁、果肉の入り側である果汁吸引口１と異なり、果肉の詰まりは殆ど問題とならないため、形状は断面を楕円或いは扁平形状で、面積を広くする果汁吹出口の形状とすることも出来る。
【００１６】
第１の実施の形態に係るストローは、上述のように構成し、図２に示すように、グレープフルーツ等の大型の柑橘類の果実Ｇのヘタのついてない側のへそ部分に、上記ストローの先端側果汁吸引口１をあて、やや回動させながら挿し込む。このとき果皮表面を凹凸状切込１０が鋸的に切開しながら、果実表面よりストロー先端を挿し込むことが出来、先端果汁吸出口１を果実内部の房まで到達することが出来る。
このグレープフルーツのへその部分はヘタのついている部分と同様に果肉の房の集まっている内端側となっており、この部分を中心に上記ストローの先端側果汁吸引口１を挿し込むことで、前記果汁吸引口１が房の内端を切りながら、或いは内端に圧力を加え、房の破壊を簡単に破壊しながら、挿し込むことが出来る。
次に、大型柑橘類の果実用ストローを果実の先端を果実の中央付近まで挿し込んだ後、例えば果実の外側に位置するストローの基端側である果汁吸出口側２に円を描くように動かすと、ストローの先端側の、果汁吸引口１が果実の房を壊すと共に、房内の果肉の分離を行うことが出来る。この後に果汁吸出口２から果汁果肉を吸出すことが出来る。
【００１７】
なお、果実吸引口１は上述のように果実のいわゆるへその部分から挿し込んでいるが、果実の周面の適宜位置から挿し込んでもよい。この場合には、果実内部の房が必ずしも破壊された状態とならないため、挿し込んだ後のストローの基端側である果汁吸出口側２に円を描くように動かす動作を余計にする必要があり、このときこの円運動に加えて挿し込む角度の変更及び位置を変えながら行うと、房の破壊及び果肉の分離が良好に行うことが出来る。
【００１８】
次に、図３は本考案にかかる第２の実施の形態を示すストローの説明図で、（ａ）は正面図、（ｂ）は断面図であり、図４は本考案にかかる第３の実施の形態を示すストローの説明図で、（ａ）は正面図、（ｂ）は断面図である。
第２の実施の形態に係るストローは、果汁吸引口１の先端周面をテーパー状吸引口１１に形成したものであり、第３の実施の形態に係るストローは、果汁吸引口１の先端周面を、ストーローの軸方向に対し斜めの切り口とする斜切吸引口１２とする構成である。
そして、前述の凹凸状切込１０と同様にグレープフルーツ等の果実に、第２、第３の実施の形態に係るストローを挿し込む際に、スムーズに果実内へストロー先端の先端周面に形成したテーパー状吸引口１１或いは斜めの切り口とする斜切吸引口１２が、果皮表面を切りながら挿し込むことが出来、スムーズな挿し込みを行う為に設けている。
なお、第２の実施の形態に係るストローの、テーパーの向きは内側テーパー、外側テーパーの何れの向きでも構わない。
【００１９】
次に、図５は本考案にかかる第４の実施の形態を示すストローの説明図で、（ａ）は正面図、（ｂ）は５図（ａ）のＡ−Ａ線断面図である。
この第４の実施の形態に係るストローは、先端部をツノ状、或いは推状に形成する閉鎖先頭部５にすると共に、先端近傍の側面に少なくとも８ｍｍ内径の面積以上を有する１又は２以上の開口を有する果汁吸引口１３を設け、基端側に果汁吸出口２とを有し、先端側果汁吸引口１に近い側で減少させる径絞部３を、ストロー胴部４を形成する点は、前述の第１の実施の形態に係るストローと同様である。
ここで、先端部をツノ状、或いは推状に形成する閉鎖先頭部５とする形状としているのは、上記第１〜３の実施の形態に係る場合では、果実に挿し込む際に、先端部に有する果汁吸引口１に、果実の果皮部分がストロー内部に入ってくる場合があり、この場合には一旦ストローを果実から抜いて、果汁吸出口２から空気を入れる等して、ストロー内部の果皮を除去してから、果汁、果肉の吸引を行うが、この第４の実施の形態では、ストローの先端部分には、ツノ状、或いは推状の形状となっており、果実に挿入時に果汁吸引口１３から果皮が内部に入ってくることを防止することが出来る。
【００２０】
次に、図６は本考案にかかる第５の実施の形態を示すストローの説明図で、（ａ）は正面図、（ｂ）は果汁吸引口１の側面図である。
この第５の実施の形態に係るストローは、上記第１〜４の実施の形態に加えて、先端部側面に１個又は複数の突起６を設ける構成である。
この突起は、図６に実施の形態では、三角柱を４個連続的に設け、これを周方向に３カ所設ける構成としているが、これに限るものではない。例えば、独立した突起としたり、形状をツノ状の突起を用いたりすることも出来る。また、配置についても周面に分散的に多数設ける構成としても良いことは言うまでもない。
このような構成とすることで、ストローを果実に挿し込んだ後にストローを動かすことで、突起６が果実内部の房を破壊し、或いは房内の果肉の細分化を促進させることが出来る。特に前記第４の実施の形態に係るストローにおいては、房の破壊は必ずしも十分とはなりづらいことより、第４の実施の形態に係るストローに、第５の実施の形態に係る突起６を設ける構成とすることは、特に有益である。
なお、突起の形状は特に限定するものではないが、図６に示すようにストローを果実に挿し込むときに挿し込みやすい形状とすることが望ましい。
【図面の簡単な説明】
【００２１】
【図１】本考案であるストローの第１の実施の形態を示す説明図で、（ａ）は正面図、（ｂ）は果汁吸引口の側面図、（ｃ）は果汁吸出口の側面図である。
【図２】本考案であるストローの使用状態を示す説明図である。
【図３】本考案にかかる第２の実施の形態を示すストローの説明図で、（ａ）は正面図、（ｂ）は断面図である。
【図４】本考案にかかる第３の実施の形態を示すストローの説明図で、（ａ）は正面図、（ｂ）は断面図である。
【図５】本考案にかかる第４の実施の形態を示すストローの説明図で、（ａ）は正面図、（ｂ）は（ａ）のＡ−Ａ線断面図である。
【図６】本考案にかかる第５の実施の形態を示すストローの説明図で、（ａ）は正面図、（ｂ）は果汁吸引口１の側面図である。
【符号の説明】
【００２２】
１    果汁吸引口
１０    凹凸状切込
１１    テーパー状吸引口
１２    斜切吸引口
１３    果汁吸引口１３
２    果汁吸出口
３    径絞部
４    ストロー胴部
５    閉鎖先端部
６    突起
Ｇ    果実
【図１】
0003116044.tif 000003
【図２】
0003116044.tif 000004
【図３】
0003116044.tif 000005
【図４】
0003116044.tif 000006
【図５】
0003116044.tif 000007
【図６】
0003116044.tif 000008